(57)【要約】【課題】人体の腕や肩の動きにマッチングし、運動機能を損ねない上衣を提供する。【解決手段】本発明の上衣は、少なくとも一方向に伸びる生地を含む上衣であって、前記生地はバイアスカット布であり、少なくとも肩甲骨を覆う位置に、身体の中心部から外側に向けて配置されている。前記バイアスカット布は、背骨の位置を中心線として左右対称に配置されているのが好ましい。また、前記上衣は半袖シャツであり、前記バイアスカット布は、後見頃上部に配置され、背骨の位置から袖口まで連続しているのが好ましい。【選択図】図１
2018100461.tif 000002
【特許請求の範囲】
【請求項１】
少なくとも一方向に伸びる生地を含む上衣であって、
前記生地はバイアスカット布であり、少なくとも肩甲骨を覆う位置に、身体の中心部から外側に向けて配置されていることを特徴とする上衣。
【請求項２】
前記少なくとも肩甲骨を覆う位置に配置されたバイアスカット布は、背骨の位置を中心線として左右対称に配置されている請求項１に記載の上衣。
【請求項３】
前記上衣は半袖シャツであり、前記バイアスカット布は、後見頃上部に配置され、背骨の位置から袖口まで連続している請求項１又は２に記載の上衣。
【請求項４】
前記少なくとも肩甲骨を覆う位置に配置したバイアスカット布は、袖部の肩峰ラインより前側に位置している請求項１〜３のいずれかに記載の上衣。
【請求項５】
前記少なくとも一方向に伸びる生地は、後見頃下部に伸びる方向が身丈方向になるように配置され、前身頃に伸びる方向が身幅方向になるように配置されている請求項１〜４のいずれかに記載の上衣。
【請求項６】
前記少なくとも一方向に伸びる生地は、タテ及びヨコのいずれか一方向が、幅５ｃｍ、荷重１７．７Ｎのときの伸長率が５０〜１５０％である請求項１〜５のいずれかに記載の上衣。
【請求項７】
前記少なくとも一方向に伸びる生地は、編み物、ワンウエイ編み物、ツーウエイ編み物、ワンウエイ織物及びツーウエイ織物から選ばれる少なくとも一つである請求項１〜６のいずれかに記載の上衣。
【請求項８】
前記上衣は、シャツ、ミドルウェア及びアウターウエアから選ばれる少なくとも一つである請求項１〜７のいずれかに記載の上衣。
【請求項９】
前記少なくとも一方向に伸びる生地は、単位面積当たりの質量（目付）が８０〜３００ｇ／ｍ2である請求項１〜８のいずれかに記載の上衣。
【請求項１０】
前記上衣はスポーツ用である請求項１〜９のいずれかに記載の上衣。
【発明の詳細な説明】
【技術分野】
【０００１】
本発明はバイアス(bias)カット布を含む上衣に関する。
【背景技術】
【０００２】
一般の衣類及びスポーツ衣類においては、編み物及び織物などの生地は、生地のタテ−ヨコを基準として裁断し、縫製して衣類に仕上げるのが普通である。生地のタテ−ヨコを基準に裁断するのが、生地の歩留まりが高いからである。これは例えば編み物又は弾性糸を含む生地のような少なくとも一方向に伸びる生地においても同じである。バイアスカット布を含む衣類の従来例として、特許文献１にはシャツなどの上衣の後見頃パーツ全面をバイアスカット布にする例と、後見頃の上部パーツをバイアスカット布とし、その伸び方向を中心から斜め下部に向けて配置することが提案されている。特許文献２には長袖シャツの後見頃の袖部から背中部までのヨーク部にバイアスカット布を配置することが提案されている。
【先行技術文献】
【特許文献】
【０００３】
【特許文献１】特開２００４−０２７４６０号公報
【特許文献２】特開２００５−３０７３６９号公報
【発明の概要】
【発明が解決しようとする課題】
【０００４】
しかし、前記従来の上衣は、人体の腕や肩の動きにマッチしておらず、運動機能を損ねるという問題があった。
【０００５】
本発明は、前記従来の問題を解決するため、人体の腕や肩の動きにマッチングし、運動機能を損ねない上衣を提供する。
【課題を解決するための手段】
【０００６】
本発明の上衣は、少なくとも一方向に伸びる生地を含む上衣であって、前記生地はバイアスカット布であり、少なくとも肩甲骨を覆う位置に、身体の中心部から外側に向けて配置されていることを特徴とする。
【発明の効果】
【０００７】
本発明の上衣は、少なくとも一方向に伸びる生地を含み、前記生地はバイアスカット布であり、少なくとも肩甲骨を覆う位置に、身体の中心部から外側に向けて配置されていることにより、人体の腕や肩の動きにマッチングし、運動機能を損ねない上衣となる。
【図面の簡単な説明】
【０００８】
【図１】図１は本発明の一実施形態の上衣の模式的裏面図である。
【図２】図２は同、模式的正面図である。
【図３】図３は従来例の上衣の模式的裏面図である。
【図４】図４は同、模式的正面図である。
【発明を実施するための形態】
【０００９】
本発明の上衣は、少なくとも一方向に伸びる生地を含み、前記生地はバイアスカット布であり、少なくとも肩甲骨を覆う位置に、身体の中心部から外側に向けて配置されている。これにより、例えばバレーボールのアタック時の腕の上げ易さを改良できる。他のスポーツ衣類においても、野球、ソフトボール、テニス、バドミントン、スカッシュなど、腕を大きく振るスポーツの上衣に好適である。腕の大きな動きは袖によっても阻害されるので、本発明の好ましい上衣は袖を有する上衣である。
【００１０】
前記少なくとも肩甲骨を覆う位置に配置されたバイアスカット布は、背骨の位置を中心線として左右対称に配置されているのが好ましい。これにより、両腕の上げ易さを改良できる。
【００１１】
前記上衣は半袖シャツであり、前記バイアスカット布は後見頃上部に配置され、背骨の位置から袖口まで連続しているのが好ましい。これにより、見頃と袖が一体化した形態となり、半袖シャツの腕の上げ易さをさらに改良できる。
【００１２】
前記少なくとも肩甲骨を覆う位置に配置したバイアスカット布は、袖部の肩峰ラインより前側に位置しているのが好ましい。これにより、肩部はさらに動きやすい形態となる。
【００１３】
前記少なくとも一方向に伸びる生地は、後見頃下部に伸びる方向が身丈方向になるように配置され、前身頃に伸びる方向が身幅方向になるように配置されているのが好ましい。後見頃下部に一方向に伸びる方向を身丈方向になるように配置すると、後見頃下部は捲れ難くなる。また、前身頃の全面に一方向に伸びる方向を身幅方向になるように配置すると、お腹から胸にかけてゆったりとした着心地感となる。
【００１４】
前記少なくとも一方向に伸びる生地は、タテ及びヨコのいずれか一方向が、幅５０ｍｍ、荷重１７．７Ｎのときの伸長率が５０〜１５０％であるのが好ましい。さらに好ましい伸長率は７５〜９５％である。前記の伸長率であれば、バイアスカット布としたとき、腕の様々な動きに対応できる。編み物の場合、タテ、ヨコ、ナナメの伸長率の関係は、タテの伸長率＜ナナメの伸長率＜ヨコの伸長率が好ましい。
【００１５】
前記少なくとも一方向に伸びる生地は、編み物、ワンウエイ編み物、ツーウエイ編み物、ワンウエイ織物及びツーウエイ織物から選ばれる少なくとも一つであるのが好ましい。編み物は、編み組織により一方向の伸び率が高いものもある。糸使いにもよるが、例えば丸編み（横編み，ニット）は相対的にヨコ方向の伸長率が高く、経編（トリコット、ラッシェル）は相対的にタテ方向の伸長率が高い。ワンウエイ及びツーウエイの編み物又は織物は、ポリウレタン糸のような弾性糸を使用する。弾性糸はそのまま使用してもよいし、ポリエステル糸、ナイロン糸のようなリジット糸によりシングルカバリング糸又はダブルカバリング糸として使用してもよい。
【００１６】
本発明の生地としては、通常の生地を採用できる。例えば、編物としては、丸編、緯編、経編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織などがある。織物としては、平織、斜文織、朱子織、変化平織、変化斜文織、変化朱子織、変わり織、紋織、片重ね織、二重組織、多重組織、経パイル織、緯パイル織、絡み織等がある。
【００１７】
前記少なくとも一方向に伸びる生地は、単位面積当たりの質量（目付）が８０〜３００ｇ／ｍ2の範囲が好ましい。さらに好ましくは、１００〜２５０ｇ／ｍ2の範囲である。前記目付であればスポーツ衣類として有用である。また、前記上衣は、シャツ、ミドルウェア及びアウターウエアから選ばれる少なくとも一つが好ましい。これらはいずれもスポーツ衣類として有用であり、大きな腕の動きを妨げない機能が要求される。
【００１８】
以下図面を用いて説明する。以下の図面において、同一符号は同一物を示す。図１は本発明の一実施形態の上衣の模式的裏面図である。この上衣はバレーボール用の半袖シャツ１であり、少なくとも一方向に伸びる生地で縫製されており、バイアスカット布２ａ，２ｂは肩甲骨を覆う後見頃上部の位置に、身体の中心部から外側に向けて配置されている。各パーツの線分の方向は伸びの大きい方向を示す。バイアスカット布２ａ，２ｂは、背骨の位置を中心線として左右対称に配置されており、背骨の位置から袖口まで連続している。前記少なくとも一方向に伸びる生地は、後見頃下部３に伸びる方向が身丈方向になるように配置されている。
【００１９】
図２は同、模式的正面図である。前記少なくとも肩甲骨を覆う位置に配置したバイアスカット布２ａ，２ｂは、袖部の肩峰ラインより前側に位置している。前記少なくとも一方向に伸びる生地は、前身頃４の全面に伸びる方向が身幅方向になるように配置されている。両サイド上部５ａ，５ｂは前記少なくとも一方向に伸びる生地を身丈方向に配置している。肩の縫製ラインは、前側に位置している分なだらかであった。
【００２０】
図３は従来例の一般的な上衣の模式的裏面図、図４は同、模式的正面図であり、バレーボール用半袖シャツ６である。このバレーボール用半袖シャツ６は、少なくとも一方向に伸びる生地で縫製されているが、タテ−ヨコ方向に裁断されており、前身頃１０、後見頃７、袖部８ａ，８ｂは伸びる方向をタテ方向としている。前身頃１０及び後見頃７と袖部８ａ，８ｂは、縫製ライン９ａ，９ｂにより縫製されている。
【実施例】
【００２１】
以下実施例により本発明を具体的に説明する。なお本発明は下記の実施例に限定されるものではない。
【００２２】
＜伸長率の測定＞
生地の伸長率は、タテ及びヨコ方向共にＪＩＳ  Ｌ１０９６  Ａ法  カットストリップ法（１７．７Ｎ（１．８ｋｇ）荷重、５ｃｍ幅）で測定する。
【００２３】
（実施例１）
＜編み物の編成＞
ポリエステル（ＰＥＴ）マルチフィラメント仮より加工糸（総繊度：２００decitex，繊維本数：１９２本）を使用し、丸編機によりゴム編みのニットを編成し、常法により染色した。得られたニットの目付は１５９ｇ／ｍ2であった。このニットの伸長率（測定数５の平均値）は、タテ３２．６％、ヨコ８３．０％であり、タテに比べてヨコは２．５４倍伸長した。ナナメの伸長率は４５．４％であった。
このニットを用いて図１〜２に示す半袖シャツを縫製した。この半袖シャツをバレーボールの愛好者（２０歳代台から４０歳代）８名に着用してもらい、バレーボールの練習に使用した。着用試験は本実施例の半袖シャツと比較例１の半袖シャツをそれぞれ着用し、比較する方法で実施した。結果は後にまとめて表１に示す。
【００２４】
（比較例１）
図３〜４に示すデザインとした以外は実施例１と同様にシャツを縫製した。着用試験の結果を表１に示す。
【００２５】
【表１】
2018100461.tif 000003
【００２６】
表１から明らかなとおり、実施例１の半袖シャツは比較例１の半袖シャツ（従来品）に比較して、全体的に優れていたが、とくにスパイクとトスの動作時の腕の動きの評価はきわめて高いことが確認できた。
【００２７】
（実施例２）
この実施例は、ポリウレタン弾性糸を使ったワンウエイ編み物の例である。ポリエステル（ＰＥＴ）マルチフィラメント加工糸（７５decitex）、ポリウレタン弾性糸（２０decitex）を使用し、トリコット編機を使用してベア天竺を編成し、染色した。得られた編地の目付は１７９ｇ／ｍ2であった。このニットの伸長率（測定数５の平均値）は、タテ４０％、ヨコ９０％であり、タテに比べてヨコは２．２５倍伸長した。ナナメの伸長率は５２％であった。この編地を使用して実施例１と同様に半袖シャツに縫製して着用試験したところ、実施例１と同様の結果が得られた。
【００２８】
（実施例３）
この実施例は、ポリウレタン弾性糸を使ったワンウエイ編み物の例である。ポリエステル（ＰＥＴ）マルチフィラメント加工糸（７５decitex）、ポリウレタン弾性糸（２０decitex）を使用し、トリコット編機を使用してベア天竺を編成し、染色した。得られた編地の目付は１８７ｇ／ｍ2であった。染色加工時に縦に引っ張らずにセットし、伸びが出るようにした。このニットの伸長率（測定数５の平均値）は、タテ７５％、ヨコ９０％であり、タテに比べてヨコは１．２倍伸長した。ナナメの伸長率は５７．４％であった。この編地を使用して実施例１と同様に半袖シャツに縫製して着用試験したところ、実施例１と同様の結果が得られた。
【産業上の利用可能性】
【００２９】
本発明の上衣は、腕や肩の動きにマッチングし、運動機能を損ねず、ツッパリ感もないことから、肩凝り防止機能も発揮する。それ故、肩凝り防止用上衣としても有用である。
【符号の説明】
【００３０】
１，６  半袖シャツ
２ａ，２ｂ  バイアスカット布
３  後見頃下部
４，１０  前身頃
５ａ，５ｂ  両サイド上部
７  後見頃
８ａ，８ｂ  袖部
９ａ，９ｂ  縫製ライン
【図１】
2018100461.tif 000004
【図２】
2018100461.tif 000005
【図３】
2018100461.tif 000006
【図４】
2018100461.tif 000007